(57)【要約】再シール、再密封が可能なジッパークロージャー機能を有するフレキシブルバックなどのパッケージの開閉は、ジッパー機能に取り付けられたスライダー装置によって達成される。ピールシールなどの開封済みを確認する構造は、ジッパークロージャーと製品保持容量との間のパッケージ内部に提供される。第二のピールシールはジッパークロージャーとフレキシブルパッケージを囲む周囲との間に提供される。二重ピープシールのジッパークロージャーの製造及び使用方法が記載される。
2004515419.tif 000002
【特許請求の範囲】
【請求項１】
（ａ）口がパッケージ内部へのアクセスを提供し、周囲の壁が第一側パネルと該第一側パネルと反対に位置する第二側パネルを含むことを特徴とする、前記パッケージ内部を定義し、且つ前記口を有するパッケージの前記周囲の壁と、
（ｂ）前記口の選択的な開閉のため前記口に沿った再密封可能なジッパーであって、該ジッパーは
（ｉ）第一クロージャープロファイルの第一端に位置する第一シーリングフランジと前記第一クロージャープロファイルの第二端に位置する末端のフランジを有する前記第一クロージャープロファイルと、
（ｉｉ）第二クロージャープロファイルの第一端に位置する第二シーリングフランジと前記第二クロージャープロファイルの第二端に位置する末端のフランジを有する前記第二クロージャープロファイルと、
（ｉｉｉ）第一及び第二表面をそれぞれ有する前記第一及び第二シーリングフランジと、
（ｉｖ）前記第一シーリングフランジの前記第一表面に位置し前記第一パネル部分に固定される第一シーラント層、及び前記第二シーリングフランジの前記第一表面に位置し前記第二パネル部分に固定される前記第二シーラント層と、
（ｖ）第一と第二の相対する外面を有する第一ピールシールであって、
（Ａ）前記ピールシールの前記第一外面は、第一シール強度で前記第一シーリングフランジの前記第二面に固定されており、
（Ｂ）前記ピールシールの前記第二外面は、第二シール強度で前記第二シーリングフランジの前記第二面に固定されており、
（Ｃ）前記第一ピールシールは、それぞれの各前記第一シール強度と前記第二シール強度よりも小さい内部の破壊強度を有する、
ことを特徴とする前記第一と前記第二の相対する外面を有する前記第一ピールシールと、及び
（ｖｉ）第一及び第二の相対する表面を有する第二ピールシールであって、
（Ａ）前記ピールシールの前記第一外面は、第一シール強度で前記第一クロージャープロファイルの前記末端フランジに固定されており、
（Ｂ）前記ピールシールの前記第二外面は、第二シール強度で前記第二クロージャープロファイルの前記末端フランジに固定されており、
（Ｃ）前記第二のピールシールは、それぞれの各前記第一シール強度と前記第二シール強度よりも小さい内部の破壊強度を有する、
ことを特徴とする前記第一及び前記第二の相対する表面を有する前記第二ピールシールと、
を含有することを特徴とする前記ジッパーと、並びに
（ｃ）前記再密封できるジッパーに操作しやすく取り付けられたスライダー装置であり、該スライダー装置が第一方向に移動する場合に前記スライダー装置は前記第一クロージャープロファイルを前記第二クロージャープロファイルと連結し、前記スライダー装置が第二の反対方向に移動する場合は、前記第一クロージャープロファイルは前記第二クロージャープロファイルから乖離することを特徴とする前記スライダー装置と、
を含有するフレキシブルな再密封可能なパッケージ。
【請求項２】
前記第一ピールシールは剥離可能なフィルムであることを特徴とする請求項１に記載のフレキシブルな再密封可能なパッケージ。
【請求項３】
前記第一の剥離可能なフィルムは多層化フィルムであることを特徴とする請求項２に記載のフレキシブルな再密封可能なパッケージ。
【請求項４】
前記多層化フィルムは少なくとも２層を有することを特徴とする請求項３に記載のフレキシブルな再密封可能なパッケージ。
【請求項５】
前記第一シーラント層は前記第一クロージャープロファイルと前記第一パネル部分との間に蝶番を提供することを特徴とする請求項１に記載のフレキシブルな再密封可能なパッケージ。
【請求項６】
前記第二ピールシールは剥離可能なフィルムであることを特徴とする請求項１に記載のフレキシブルな再密封可能なパッケージ。
【請求項７】
前記第二の剥離可能なフィルムは多層化フィルムであることを特徴とする請求項６に記載のフレキシブルな再密封可能なパッケージ。
【請求項８】
前記多層化フィルムは少なくとも２層を有することを特徴とする請求項７に記載のフレキシブルな再密封可能なパッケージ。
【請求項９】
（ａ）口がパッケージ内部へのアクセスを提供し、周囲の壁が第一側パネルと該第一側パネルと反対に位置する第二側パネルを含むことを特徴とする、前記パッケージ内部を定義し、且つ前記口を有するパッケージの前記周囲の壁と、
（ｂ）前記口の選択的な開閉のため前記口に沿った再密封可能なジッパーであって、該ジッパーは
（ｉ）第一クロージャープロファイルの第一端に位置する第一シーリングフランジと前記第一クロージャープロファイルの第二端に位置する末端のフランジを有する前記第一クロージャープロファイルと、
（ｉｉ）第二クロージャープロファイルの第一端に位置する第二シーリングフランジと前記第二クロージャープロファイルの第二端に位置する末端のフランジを有する前記第二クロージャープロファイルと、
（ｉｉｉ）第一及び第二表面をそれぞれ有する前記第一及び第二シーリングフランジと、
（ｉｖ）前記第一シーリングフランジの前記第一表面に位置し前記第一パネル部分に固定される第一シーラント層、及び前記第二シーリングフランジの前記第一表面に位置し前記第二パネル部分に固定される前記第二シーラント層と、
（ｖ）第一と第二の相対する外面を有する第一ピールシールであって、
（Ａ）前記ピールシールの前記第一外面は、第一シール強度で前記第一側パネルに固定されており、
（Ｂ）前記ピールシールの前記第二外面は、第二シール強度で前記第二側パネルに固定されており、
（Ｃ）前記第一のピールシールは、それぞれの各前記第一シール強度と前記第二シール強度よりも小さい内部の破壊強度を有する、
ことを特徴とする前記第一と前記第二の相対する外面を有する前記第一ピールシールと、及び
（ｖｉ）第一及び第二の相対する表面を有する第二ピールシールであって、
（Ａ）前記ピールシールの前記第一外面は、第一シール強度で前記第一クロージャープロファイルの前記末端フランジに固定されており、
（Ｂ）前記ピールシールの前記第二外面は、第二シール強度で前記第二クロージャープロファイルの前記末端フランジに固定されており、
（Ｃ）前記第二のピールシールは、それぞれの各前記第一シール強度と前記第二シール強度よりも小さい内部の破壊強度を有する、
ことを特徴とする前記第一及び前記第二の相対する表面を有する前記第二ピールシールと、
を含有することを特徴とする前記ジッパーと、並びに
（ｃ）前記再密封できるジッパーに操作しやすく取り付けられたスライダー装置であり、該スライダー装置が第一方向に移動する場合に前記スライダー装置は前記第一クロージャープロファイルを前記第二クロージャープロファイルと連結し、前記スライダー装置が第二の反対方向に移動する場合は、前記第一クロージャープロファイルは前記第二クロージャープロファイルから乖離することを特徴とする前記スライダー装置と、
を含有するフレキシブルな再密封可能なパッケージ。
【請求項１０】
前記第一ピールシールは剥離可能なフィルムであることを特徴とする請求項９に記載のフレキシブルな再密封可能なパッケージ。
【請求項１１】
前記第一の剥離可能なフィルムは多層化フィルムであることを特徴とする請求項１０に記載のフレキシブルな再密封可能なパッケージ。
【請求項１２】
前記多層化フィルムは少なくとも２層を有することを特徴とする請求項１１に記載のフレキシブルな再密封可能なパッケージ。
【請求項１３】
前記第一シーラント層は前記第一クロージャープロファイルと前記第一パネル部分との間に蝶番を提供することを特徴とする請求項９に記載のフレキシブルな再密封可能なパッケージ。
【請求項１４】
前記第二ピールシールは剥離可能なフィルムであることを特徴とする請求項９に記載のフレキシブルな再密封可能なパッケージ。
【請求項１５】
前記第二の剥離可能なフィルムは多層化フィルムであることを特徴とする請求項１４に記載のフレキシブルな再密封可能なパッケージ。
【請求項１６】
前記多層化フィルムは少なくとも２層を有することを特徴とする請求項１５に記載のフレキシブルな再密封可能なパッケージ。
【請求項１７】
（ａ）第一クロージャープロファイルの第一端に位置する第一シーリングフランジと前記第一クロージャープロファイルの第二端に位置する末端のフランジを有する第一クロージャープロファイルと、
（ｂ）第二クロージャープロファイルの第一端に位置する第二シーリングフランジと前記第二クロージャープロファイルの第二端に位置する末端のフランジを有する第二クロージャープロファイルと、
（ｃ）第一及び第二表面をそれぞれ有する前記第一及び第二シーリングフランジと、
（ｄ）前記第一シーリングフランジの前記第一表面に位置し前記第一パネル部分に固定される第一シーラント層、及び前記第二シーリングフランジの前記第一表面に位置し前記第二パネル部分に固定される前記第二シーラント層と、
（ｅ）第一と第二の相対する外面を有する第一ピールシールであって、
（ｉ）前記ピールシールの前記第一外面は、第一シール強度で前記第一側パネルに固定されており、
（ｉｉ）前記ピールシールの前記第二外面は、第二シール強度で前記第二側パネルに固定されており、
（ｉｉｉ）前記第一のピールシールは、それぞれの各前記第一シール強度と前記第二シール強度よりも小さい内部の破壊強度を有する、
ことを特徴とする前記第一と前記第二の相対する外面を有する前記第一ピールシールと、
（ｆ）第一及び第二の相対する表面を有する第二ピールシールであって、
（ｉ）前記ピールシールの前記第一外面は、第一シール強度で前記第一クロージャープロファイルの前記末端フランジに固定されており、
（ｉｉ）前記ピールシールの前記第二外面は、第二シール強度で前記第二クロージャープロファイルの前記末端フランジに固定されており、
（ｉｉｉ）前記第二のピールシールは、それぞれの各前記第一シール強度と前記第二シール強度よりも小さい内部の破壊強度を有する、
ことを特徴とする前記第一及び前記第二の相対する表面を有する前記第二ピールシールと、及び
（ｃ）前記再密封できるジッパーに操作しやすく取り付けられたスライダー装置であり、該スライダー装置が第一方向に移動する場合に前記スライダー装置は前記第一クロージャープロファイルを前記第二クロージャープロファイルと連結し、前記スライダー装置が第二の反対方向に移動する場合は、前記第一クロージャープロファイルは前記第二クロージャープロファイルから乖離することを特徴とする前記スライダー装置と、
を含有するジッパークロージャー。
【請求項１８】
前記第一ピールシールは剥離可能なフィルムであることを特徴とする請求項１７に記載のフレキシブルな再密封可能なパッケージ。
【請求項１９】
前記第一の剥離可能なフィルムは多層化フィルムであることを特徴とする請求項１８に記載のフレキシブルな再密封可能なパッケージ。
【請求項２０】
前記多層化フィルムは少なくとも２層を有することを特徴とする請求項１９に記載のフレキシブルな再密封可能なパッケージ。
【請求項２１】
前記第二ピールシールは剥離可能なフィルムであることを特徴とする請求項１７に記載のフレキシブルな再密封可能なパッケージ。
【請求項２２】
前記第二の剥離可能なフィルムは多層化フィルムであることを特徴とする請求項２１に記載のフレキシブルな再密封可能なパッケージ。
【請求項２３】
前記多層化フィルムは少なくとも２層を有することを特徴とする請求項２２に記載のフレキシブルな再密封可能なパッケージ。
【請求項２４】
ジッパークロージャーの製造方法であって、該方法は
（ａ）（ｉ）第一シーリングフランジと、
（ｉｉ）第一連結プロファイルと、及び
（ｉｉｉ）第一末端フランジと、
を含有する第一クロージャープロファイルの押出し成形と、
（ｂ）（ｉ）第二シーリングフランジと、
（ｉｉ）前記第一連結プロファイルと連結するために構成され配置された第二連結プロファイルと、及び
（ｉｉｉ）第二末端フランジと、
を含有する第二クロージャープロファイルの押出し成形と、
（ｃ）前記第一シーリングフランジへ第一シーラント層の提供と、
（ｄ）前記第二シーリングフランジへ第二シーラント層の提供と、
（ｅ）前記第一シーラント層に反対の前記第一シーリングフランジに第一ピールシールの提供と、並びに
（ｆ）前記第一末端フランジに第二シールピールの提供と、
を含有することを特徴とする方法。
【請求項２５】
前記第一クロージャープロファイルの押出し成形段階は、前記第二クロージャープロファイルの押出し成形段階と同時になされることを特徴とする請求項２４に記載の方法。
【請求項２６】
前記第一クロージャープロファイルの押出し成形段階は、前記第一シーリングフランジに前記第一シーラント層を提供する段階と同時になされることを特徴とする請求項２４に記載の方法。
【請求項２７】
（ａ）前記第一連結プロファイルと前記第一シーラント層の共同押出し成形を含有することを特徴とする請求項２６に記載の方法。
【請求項２８】
（ａ）前記第一連結プロファイルに前記第一及び前記第二ピールシールの同時提供をさらに含有することを特徴とする請求項２７に記載の方法。
【請求項２９】
前記第一連結プロファイルと前記第一シーラント層の前記共同押出し成形段階は、
（ａ）第一融点を有する物質から前記第一連結プロファイルの押出し成形と、及び
（ｂ）前記第一融点よりも低い第二融点を有する物質から前記シーラント層の押出し成形と、
を含むことを特徴とする請求項２７に記載の方法。
【請求項３０】
再密封可能なパッケージの使用方法であって、該方法は、
（ａ）第一側パネルと該第一側パネルと反対の第二側パネルによって定義される内部を備え、口と該口の開閉をするための再密封可能なジッパー配置を有するパッケージの提供段階であって、該提供段階において前記ジッパー配置が
（ｉ）第一クロージャープロファイルの第一端に位置する第一シーリングフランジと前記第一クロージャープロファイルの第二端に位置する末端のフランジを有する第一クロージャープロファイルと、
（ｉｉ）第二クロージャープロファイルの第一端に位置する第二シーリングフランジと前記第二クロージャープロファイルの第二端に位置する末端のフランジを有する第二クロージャープロファイルと、
（ｉｉｉ）第一及び第二表面をそれぞれ有する前記第一及び第二シーリングフランジと、
（ｉｖ）前記第一シーリングフランジの前記第一表面に位置し前記第一パネル部分に固定される第一シーラント層、及び前記第二シーリングフランジの前記第一表面に位置し前記第二パネル部分に固定される前記第二シーラント層と、
（ｖ）第一と第二の相対する外面を有する第一ピールシールであって、
（Ａ）前記ピールシールの前記第一外面は、第一シール強度で前記第一シーリングフランジの前記第二面に固定されており、
（Ｂ）前記ピールシールの前記第二外面は、第二シール強度で前記第二シーリングフランジの前記第二面に固定されており、
（Ｃ）前記第一のピールシールは、それぞれの各前記第一シール強度と前記第二シール強度よりも小さい内部の破壊強度を有する、
ことを特徴とする前記第一と前記第二の相対する外面を有する前記第一ピールシールと、
（ｖｉ）第一及び第二の相対する表面を有する第二ピールシールであって、
（Ａ）前記ピールシールの前記第一外面は、第一シール強度で前記第一クロージャープロファイルの前記末端フランジに固定されており、
（Ｂ）前記ピールシールの前記第二外面は、第二シール強度で前記第二クロージャープロファイルの前記末端フランジに固定されており、
（Ｃ）前記第二のピールシールは、それぞれの各前記第一シール強度と前記第二シール強度よりも小さい内部の破壊強度を有する、
ことを特徴とする前記第一及び前記第二の相対する表面を有する前記第二ピールシールと、及び
（ｃ）前記再密封できるジッパーに操作しやすく取り付けられたスライダー装置であり、該スライダー装置が第一方向に移動する場合に前記スライダー装置は前記第一クロージャープロファイルを前記第二クロージャープロファイルと連結し、前記スライダー装置が第二の反対方向に移動する場合は、前記第一クロージャープロファイルは前記第二クロージャープロファイルから乖離することを特徴とする前記スライダー装置と、
を含有することを特徴とする前記パッケージの提供段階と、並びに
（ｂ）前記第一及び前記第二ピールシールを貫入する段階と
を含有する方法。
【請求項３１】
前記第二ピールシールを貫入する段階は、前記第一クロージャープロファイルが前記第二クロージャープロファイルから乖離する第二方向に移動するような前記スライダー装置によって予備形成されることを特徴とする請求項３０に記載の方法。
【発明の詳細な説明】
【０００１】
この開示は再び密閉できるパッケージ及びその使用に関する。特に、この開示は、ピールシール、ジッパークロージャーの製造方法、及びジッパークロージャーで製造されたパッケージを有するジッパークロージャーについて記述する。
【０００２】
特に再シールでき、再密閉できる、フレキシブルパッケージは、消費する品物のパッケージングのために頻繁に使用される。パッケージの開封時にすべてを使用しない品物は、パッケージを再密閉するジッパークロージャーに依存して、内容物を新鮮に保持する。ジッパークロージャーを備えるバッグなどのパッケージ内に頻繁にパックされる消費する品物の例は、鉢植え用土、肥料、ペットフード、ドッグビスケット、野菜、シリアル、様々な食物を含む。
【０００３】
ジッパークロージャーの開閉はジッパークロージャーに取り付けられているスライダー装置によって容易である。かかるスライダー装置は、スライダー装置がジッパーに沿った第一方向へ移動される場合に、連結するジッパークロージャー要素を別々に引き離し、かつスライダー装置がジッパーに沿った第二の反対方向に移動される場合、連結するジッパークロージャー要素を噛み合わせるために構築される。数多の適用において、アクセスはジッパークロージャーに獲得されたかどうかを提示する、開封済を確認できる構造が望まれる。それらのパッケージにおける改良が所望である。
【０００４】
本開示は、再シールでき、再密封できるジッパー機能を有し、ジッパー機能に取りつけられたスライダー装置によって開閉が達成できる、フレキシブルバックなどのパッケージに関する。ピールシールなどの開封済を確認できる構造は、ジッパークロージャーと製品保持容量との間のパッケージの内部に提供される。第二のピールシールはジッパークロージャーとフレキシブルパッケージを囲む周囲との間に提供される。ピールシールは、パッケージの内部へのアクセスが獲得されたかどうかの証明を提供する。ピールシールはジッパークロージャーの製造後にジッパークロージャーに付けられる、剥離可能なフィルムかもしれない。あるいは、クロージャーが製造される場合において、ピールシールはジッパークロージャーに提供されるかもしれない。
【０００５】
特に、本開示は、パッケージの内部と口を定義するパッケージ周囲の壁を含有するフレキシブルで再密封できるパッケージを導く。口はパッケージ内部へのアクセスを提供する。周囲の壁は第一側パネルと第一側パネルと反対に位置する第二側パネルを含む。再密封可能なジッパーは、口の選択的な開口部及び閉鎖のための口に沿う。ジッパーは、第一クロージャープロファイルの第一端に位置する第一シーリングフランジと第一クロージャープロファイルの第二端に位置する末端のフランジを有する第一クロージャープロファイルを含む。ジッパーはまた、第二クロージャープロファイルの第一端に位置する第二シーリングフランジと第二クロージャープロファイルの第二端に位置する末端のフランジを有する第二クロージャープロファイルを含む。第一及び第二シーリングフランジの各々は、第一及び第二表面を有する。第一シーラント層は第一シーリングフランジの第一表面に位置し第一パネル部分に固定されており、第二シーラント層は第二シーリングフランジの第一表面に位置し第二パネル部分に固定されている。第一のピールシールは第一と第二の相対する外面を有する。ピールシールの第一外面は、第一シール強度で第一のシーリングフランジの第二面に固定されている。ピールシールの第二外面は、第二シール強度で第二のシーリングフランジの第二面に固定されている。第一のピールシールは、それぞれの各第一シール強度と第二シール強度よりも小さい内部の破壊強度を有する。第二ピールシールは、第一及び第二の相対する表面を有する。ピールシールの第一外面は、第一シール強度で第一クロージャープロファイルの末端フランジに固定されている。ピールシールの第二外面は、第二シール強度で第二クロージャープロファイルの末端フランジに固定されている。第二のピールシールは、それぞれの各第一シール強度と第二シール強度のよりも小さい内部の破壊強度を有する。スライダー装置は再密封できるジッパーに操作しやすく取り付けられ、スライダー装置が第一方向に移動する場合にスライダー装置は第一クロージャープロファイルを第二クロージャープロファイルと連結し、スライダー装置が第二の反対方向に移動する場合は、第一クロージャープロファイルは第二クロージャープロファイルから乖離する。
【０００６】
別の実施態様では、フレキシブルで再密封できるパッケージは、パッケージの内部と口を定義するパッケージ周囲の壁を含む。口はパッケージ内部へのアクセスを提供する。周囲の壁は第一側パネルと第一側パネルに反対の第二側パネルを含む。再密封できるジッパーは口の選択的な開口部と閉鎖のための口に沿っている。ジッパーは、第一クロージャープロファイルの第一端に位置する第一シーリングフランジと第一クロージャープロファイルの第二端に位置する末端のフランジを備える第一クロージャープロファイルを含む。ジッパーはまた、第二クロージャープロファイルの第一端に位置する第二シーリングフランジと第二クロージャープロファイルの第二端に位置する末端のフランジを備える第二クロージャープロファイルを含む。第一及び第二シーリングフランジの各々は、第一及び第二表面を有する。第一シーラント層は第一シーリングフランジの第一表面に位置し第一パネル部分に固定されている。第二シーラント層は第二シーリングフランジの第一表面に位置し第二パネル部分に固定されている。第一のピールシールは第一と第二の相対する外面を有する。ピールシールの第一外面は、第一シール強度で第一側パネルに固定されている。ピールシールの第二外面は、第二シール強度で第二側パネルに固定されている。第一のピールシールは、それぞれの各第一シール強度と第二シール強度よりも小さい内部の破壊強度を有する。第二ピールシールは、第一及び第二の相対する表面を有する。ピールシールの第一外面は、第一シール強度で第一クロージャープロファイルの末端フランジに固定されている。ピールシールの第二外面は、第二シール強度で第二クロージャープロファイルの末端フランジに固定されている。第二のピールシールは、それぞれの各第一シール強度と第二シール強度よりも小さい内部の破壊強度を有する。スライダー装置は再密封できるジッパーに操作しやすく取り付けられている。スライダー装置が第一方向に移動する場合にスライダー装置は第一クロージャープロファイルを第二クロージャープロファイルと連結し、スライダー装置が第二の反対方向に移動する場合は、第一クロージャープロファイルは第二クロージャープロファイルから乖離する。
【０００７】
さらなる別の実施態様において、開示はジッパークロージャーを導き、かかるジッパークロージャーを製造し使用する方法を導く。ジッパークロージャーは、第一クロージャープロファイルの第一端に位置する第一シーリングフランジと第一クロージャープロファイルの第二端に位置する末端のフランジを備える第一クロージャープロファイルを含む。ジッパークロージャーはまた、第二クロージャープロファイルの第一端に位置する第二シーリングフランジと第二クロージャープロファイルの第二端に位置する末端のフランジを備える第二クロージャープロファイルを含む。第一及び第二シーリングフランジの各々は、第一及び第二表面を有する。第一シーラント層は第一シーリングフランジの第一表面に位置し第一パネル部分に固定されており、第二シーラント層は第二シーリングフランジの第一表面に位置し第二パネル部分に固定されている。第一のピールシールは第一と第二の相対する外面を有する。ピールシールの第一外面は、第一シール強度で第一側パネルに固定されている。ピールシールの第二外面は、第二シール強度で第二側パネルに固定されている。第一のピールシールは、それぞれの各第一シール強度と第二シール強度よりも小さい内部の破壊強度を有する。第二のピールシールは、第一と第二の相対する外面を有する。ピールシールの第一外面は、第一シール強度で第一クロージャープロファイルの末端フランジに固定されている。ピールシールの第二外面は、第二シール強度で第二クロージャープロファイルの末端フランジに固定されている。第二のピールシールは、それぞれの各第一シール強度と第二シール強度よりも小さい内部の破壊強度を有する。スライダー装置は再密封できるジッパーに操作しやすく取り付けられている。スライダー装置が第一方向に移動する場合にスライダー装置は第一クロージャープロファイルを第二クロージャープロファイルと連結し、スライダー装置が第二の反対方向に移動する場合は、第一クロージャープロファイルは第二クロージャープロファイルから乖離する。
【０００８】
ジッパークロージャーは第一クロージャープロファイルの押出し成形によって製造することができる。第一クロージャープロファイルは第一シーリングフランジ、第一連結プロファイル、及び第一末端フランジを含む。第二クロージャープロファイルは押出し成形される。第二クロージャープロファイルは第二シーリングフランジ、第一連結プロファイルと連結するように構成され配置されている第二連結プロファイル、及び第二末端フランジを含む。第一シーラント層は第一シーリングフランジに提供されている。第二シーラント層は第二シーリングフランジに提供されている。第一のピールシールは、第一のシーラント層に反対の第一シーリングフランジに提供されている。第二のピールシールは第一の末端フランジに提供される。
【０００９】
ジッパークロージャーは、第一側パネルと第一側パネルに相対する第二側パネルによって定義される内部を備えるパッケージを提供することによって使用できる。パッケージは口と、口を開閉するための再密閉可能なジッパー配置を有する。ジッパー配置は、第一クロージャープロファイルの第一端に位置する第一シーリングフランジと第一クロージャープロファイルの第二端に位置する末端フランジを備える第一クロージャープロファイルを含む。さらにジッパー配置は、第二クロージャープロファイルの第一端に位置する第二シーリングフランジと第二クロージャープロファイルの第二端に位置する末端フランジを備える第二クロージャープロファイルを含む。第一及び第二シーリングフランジの各々は、第一及び第二表面を有する。第一シーラント層は第一シーリングフランジの第一表面に位置し第一パネル部分に固定されており、第二シーラント層は第二シーリングフランジの第一表面に位置し第二パネル部分に固定されている。第一のピールシールは第一と第二の相対する外面を有する。ピールシールの第一外面は、第一シール強度で第一シーリングフランジの第二面に固定されている。ピールシールの第二外面は、第二シール強度で第二シーリングフランジの第二面に固定されている。第一のピールシールは、それぞれの各第一シール強度と第二シール強度よりも小さい内部の破壊強度を有する。第二のピールシールは、第一と第二の相対する外面を有する。ピールシールの第一外面は、第一シール強度で第一クロージャープロファイルの末端フランジに固定されている。ピールシールの第二外面は、第二シール強度で第二クロージャープロファイルの末端フランジに固定されている。第二のピールシールは、それぞれの各第一シール強度と第二シール強度よりも小さい内部の破壊強度を有する。スライダー装置は再密封できるジッパー上に操作しやすく取り付けられている。スライダー装置が第一方向に移動する場合にスライダー装置は第一クロージャープロファイルを第二クロージャープロファイルと連結し、スライダー装置が第二の反対方向に移動する場合は、第一クロージャープロファイルは第二クロージャープロファイルから乖離する。
【００１０】
ジッパークロージャーを有するフレキシブルパッケージは、今日のパッケージング市場において一般的である。典型的には、ジッパークロージャーは第一と第二の連結クロージャープロファイルを有する。ジッパークロージャーは、パッケージ内部の内容物にアクセスするパッケージ口の容易い開閉を提供する。フレキシブルパッケージに対する、ピールシールなどの開封済を確認できる構造の追加は、開封済を確認できる構造が内部へアクセスされたかどうかの指標を提供するために、パッケージ内部の内容物の安全を改良する。
【００１１】
バックなどのフレキシブルパッケージへのスライダー装置の追加は、バックを再シールするために単なるジッパークロージャーを使用する物理的能力を有しない老人又は関節炎の人に有利である。加えて、フレキシブルパッケージへのスライダー装置の追加は、年齢と能力に関係せずにすべてのユーザによるバックの使用を容易にする。
【００１２】
フレキシブルな再密閉が可能なパッケージ
フレキシブルな再密閉が可能なパッケージ１０が図１に示されている。パッケージ１０は、内部１１を定義する第一と第二のポリマーのフィルム側パネル１２及び１４を有する。パッケージ１０はサイドエッジ３２、３４及びボトムエッジ３６の３つのエッジを含み、ここでパネル１２、１４はパッケージ１０の内部１１を形成するためにお互いに接続されている。第一のサイドエッジ３２と第二のサイドエッジ３４は、側パネル１２、１４に対する設定時間の熱及び圧力を適用することによって作成されたシールである。代替となる実施態様において、第一のサイドエッジ３２と第二のサイドエッジ３４の少なくとも一つは折り目ラインであり、フィルムの単一シートは２つの側パネル１２、１４を形成するために折りたたまれる。
【００１３】
図１において、ボトムエッジ３６は、フィルムの単一シートが２つの側パネルを形成するために折りたたまれる場合の側パネル１２、１４間の折りたたみラインであり、別の実施態様においては、ボトムエッジ３６は側パネル１２、１４に対して所望の時間の熱と圧力の適用によって生成されるシールである。ボトムエッジ３６はＶカットを含むことができる（示されていない）。Ｖカットは、直立する特徴を備えるパッケージを提供するため又は内部１１の容積を増大するために含まれることができる。Ｖカットは密封したＶカットであるかもしれないし、ここで２つの側はＶカットの長さ又はほんの部分的な長さに沿って共に密封されるか、或いはＶカットパネルは密封されないかもしれない。
【００１４】
本開示の全体を通して、ボトムエッジ３６を有するパッケージの側はパッケージの“底部”と呼ばれ、ジッパークロージャー２０を有する側はバックの“上部”と呼ばれるかもしれない。ボトムエッジ３６がジッパークロージャーの下に位置しないように、パッケージ１０は適応させることができるが、しかしながら、ジッパークロージャーは“上部”に存続することは理解される。
【００１５】
口２１はパッケージの上部に沿う、パッケージ１０の内部へのアクセスを提供する。ジッパークロージャー２０は第一のサイドエッジ３２から第二のサイドエッジ３４に延在する。
【００１６】
スライダー装置３０はジッパークロージャー２０の開閉を容易にするためにジッパークロージャー２０に取りつけられる。一般的なスライダー装置及びそれらがどのようにジッパークロージャーを開閉する方法は、ここに参照として組み入れられている、例えば米国特許第５，０６３，６４４号明細書、５，３０１，３９４号明細書、５，４４２，８３７号明細書及び５，６６４，３２９号明細書に教示されている。好ましいスライダー装置は、両出願とも１９９９年７月３０日に出願された米国特許出願第０９／３６５，２５１及び２９／１０８，６５７に教示され、それらの全体の参照としてここに組み込まれている。図１、３乃至５及び８に概略的に示されているが、スライダー装置３０は米国特許出願第０９／３６５，２５１及び２９／１０８，６５７の開示にしたがって、好ましく構築され配置される。
【００１７】
さらに図１を参照するに、ノッチ２５がジッパークロージャー２０内に配置できる。ジッパークロージャー２０が密封される場合、ノッチ２５は、スライダー装置３０が留まる“停車場所”を提供するために設計される。かかるノッチ２５は、第一クロージャープロファイル２２と第二クロージャープロファイル２４間を不完全に連結するための傾向を減少するかもしれない。好ましくは、ノッチ２５は、完全に末端フランジ１２７，１２９に配置された第二のピールシール１４０（下記に記載）の少なくとも一部分を残すような深さである。ノッチの実施例は、ここに参照として組み入れられている、例えば、米国特許第５，０６７，２０８号明細書及び５，３０１，３９５号明細書に開示されている。
【００１８】
ジッパークロージャー
パッケージ１０の第一及び第二側パネル１２，１４を開閉する（開封及び再密封）ための交配するクロージャープロファイルを有するジッパークロージャー配置２０は、パッケージ１０のトップエッジ３８に沿うサイドエッジ３２とサイドエッジ３４間に延在する。ジッパークロージャー２０は内部１１へのアクセスを提供する口２１を開閉する。スライダー装置３０は、口２１でジッパークロージャー２０の開閉を容易にするようにジッパークロージャー２０に配置される。
【００１９】
再度ジッパークロージャー２０を参照するに、ジッパークロージャー２０は様々な形態と構成を含むことができる。図２において、ジッパークロージャー２０はスライダー装置３０を伴わずに詳細に示される。ジッパークロージャー２０は第一クロージャープロファイル２２と第二クロージャープロファイル２４を有する。特に、第一クロージャープロファイル２２は第一の連結プロファイル２６を有し、第二クロージャープロファイル２４は第二の連結プロファイル２８を有する。第一と第二の連結プロファイル２６，２８は、口を横切るシール２１を連結し提供するために配置され構築される（図１）。
【００２０】
第一及び第二クロージャープロファイル２２，２４は、連結プロファイル２６，２８から延在し、側パネル１２，１４にクロージャープロファイル２２，２４を固定するように提供される第一端５における、第一及び第二のシーリングフランジ２７，２９を含む。第一及び第二のシーリングフランジ２７，２９は、内部の第一面１３と外部の第二面１７を有する。
【００２１】
さらに第一及び第二クロージャープロファイル２２，２４は、連結プロファイル２６，２８から延在する第二端６で連結プロファイル２６，２８から延在する、第一及び第二末端フランジ１２７，１２９を含む。好ましくは、連結プロファイル２６，２８は第一端５と第二端６との間に位置される。
【００２２】
ジッパークロージャー２０は、例えば、ここに参照として組み入れられている、米国特許第４，３４０，３４１号明細書及び４，４３７，２９３号明細書に開示されているような周知の手法で形態化できる。第一クロージャープロファイル２２と第二クロージャープロファイル２４は、パッケージ１０を適切に開閉するようにかみ合い、且つ乖離する。
【００２３】
開封済を確認できる構造
ここで図３を参照するに、第一のピールシール４０はパッケージ６０内に配置され、特に図３の第一のピールシール４０は、ジッパークロージャー２０のシーリングフランジ２７，２９の内部又は第一面１３に配置され固定される。第二のピールシール１４０はパッケージ６０内に配置され、特に図３の第二のピールシール１４０はジッパークロージャーの末端フランジ１２７，１２９に配置され固定される。
【００２４】
ピールシール４０，１４０は開封済を確認できる構造であり、“開封済みを確認する”ことによって、ユーザにパッケージ６０が既に開封され内部１１へのアクセスを獲得したかどうかの提示を提供することを意味する。ピールシール４０，１４０は第一サイドエッジ３２（図１）から第二サイドエッジ３４（図１）に延在し、パッケージのジッパークロージャー２０と内部１１との間、及び内部１１とパッケージ６０を囲む周囲との間に障壁を提供する。好ましくは、ピールシール４０，１４０は第一サイドエッジ３２から第二サイドエッジ３４に連続しているが、しかしながら、ピールシール４０，１４０はこの長さに沿って断続的かもしれない。
【００２５】
永久の結合又はシールは、外面４０ａ，４０ｂにおける第一ピールシール４０とシーリングフランジ２７，２９と外面１４０ａ，１４０ｂにおける第二ピールシール１４０と末端フランジ１２７，１２９との間に存在する。それらの結合又はシールの強度は、一般的に結合を破壊するために必要とされる力によって測定される。パッケージ６０の内部１１にアクセスするために、両方のピールシール４０，１４０に食い込む必要がある。
【００２６】
両方のピールシール４０，１４０は、外面４０ａ，４０ｂにおける第一ピールシール４０とシーリングフランジ２７，２９との間、及び外面１４０ａ，１４０ｂにおける第二ピールシール１４０とシーリングフランジ１２７，１２９との間のシール強度よりも小さい内部強度を有する。“内部強度”により、外面４０ａ，４０ｂ，１４０ａ，１４０ｂ間のピールシール４０，１４０の構造内のピールシールを破裂させるか、裂くか、分割するか、薄層に分けるか、又は他の方法で分離するために、ある力が必要であることを意味する。最も弱いところで破損する傾向があるために、ピールシール４０、１４０は、ピールシール４０、１４０がシーリングフランジ２７，２９又は末端フランジ１２７，１２９に固定される場所ではなく、それ自身の内部で破損するだろう。このようにして、ピールシールの貫入において、ピールシール４０，１４０は、表面４０ａ，４０ｂ及び１４０ａ，１４０ｂでの各シーリングフランジ２７，２９及び末端フランジ１２７，１２９に接続されるピールシール４０，１４０を部分的に残して、内部で分裂するだろう。
【００２７】
特に、ピールシール４０，１４０は剥離可能なフィルム４１，１４１である。一般的に、“剥離可能なフィルム”は、所定の大きさの力が適用される場合に薄層に分かれるか、又は他の方法で少なくとも多重層の少なくとも２つの間で分割することを特徴とする、典型的には２乃至５層の多重層を含む。２層間のかかる離層は、全面的な剥離可能なフィルム４１，１４１の内部である。しかしながら、層の一つがその層自体で引き裂かれる場合、これは内部分裂であると考慮される。剥離可能なフィルムの様々な層は、異なるか又は同一のポリマー状物質から生成されるだろう。例えば、２層を備える剥離可能なフィルムは同一物質から生成される両層を有することができるか、又は２層は異なる物質から生成できる。
【００２８】
ある実施態様において、剥離可能なフィルム４１，１４１の多重層は剥離可能なフィルムの押出し成形中に同時に提供される。すなわち、剥離可能なフィルム４１，１４１の層は共同に押出し成形される。別の実施態様において、個々の層は剥離可能なフィルム４１，１４１を提供するために共に積層される。多重層内及び／又は共に押出し成形されたか若しくは積層された間の内部の結合強度は、剥離可能なフィルム４１，１４１の外面４１ａ，４１ｂ，１４１ａ、１４１ｂとシーリングフランジ２７，２９、末端フランジ１２７，１２９或いは側パネル１２，１４などの他のポリマー状の表面との間の結合強度よりも一般的に小さい。
【００２９】
パッケージ６０において、剥離可能なフィルム４１の外面４１ａ，４１ｂはシーリングフランジ２７，２９に強度なシールを提供し、剥離可能なフィルム１４１の外面１４１ａ，１４１ｂは末端フランジ１２７，１２９に強度なシールを提供する。パッケージ６０の剥離可能なフィルム４１，１４１が破られる場合、外面４１ａ，４１ｂとシーリングフランジ２７，２９との間にシールをそのまま残し、及び外面１４１ａ、１４１ｂと末端フランジ１２７，１２９との間にシールをそのまま残す一方で、２層間若しくは単一の層内のいずれかにおいて剥離可能なフィルム４１，１４１は離層するか、又は内部で裂ける。
【００３０】
図４において、パッケージ６０´は、第一と第二部分４２，４４を備える第一ピールシール４０及び第一と第二部分１４２，１４４を備える第二ピールシール１４０を有することを除いて、図３のパッケージ６０と同様である。第一部分４２は第一シーリングフランジ２７にシールされており、第二部分４４は第二シーリングフランジ２９にシールされており、さらに第一部分４２と第二部分４４はお互いにシールされている。第一部分１４２は第一末端フランジ１２７にシールされており、第二部分１４４は第二末端フランジ１２９にシールされており、さらに第一部分１４２と第二部分１４４はお互いにシールされている。典型的には、第一及び第二部分４２，４４，１４２，１４４は同一物質であるが、しかしながら、数多の実施態様において、第一及び第二部分４２，４４，１４２，１４４は異なる。第一及び第二部分４２，４４を有する第一ピールシール４０が破れた場合、第一部分４２と第二部分４４は、シーリングフランジ２７，２９にシールをそのまま残してお互いから離層し、第一及び第二部分１４２，１４４を有する第二ピールシール１４０が破れた場合、第一部分１４２と第二部分１４４は、末端フランジ１２７，１２９にシールをそのまま残してお互いから離層する。第一部分４２とシーリングフランジ２７との間のシール強度及び第二部分４４とシーリングフランジ２９との間のシール強度は、第一部分４２と第二部分４４との間のシール強度よりも大きい。同様に、第一部分１４２と末端フランジ１２７との間のシール強度及び第二部分１４４と末端フランジ１２９との間のシール強度は、第一部分１４２と第二部分１４４との間のシール強度よりも大きい。
【００３１】
シーラント構造
またパッケージ６０は、側パネル１２，１４とシーリングフランジ２７，２９のそれぞれの間に永久シール又は結合を提供するシーラント層５２，５４を含む。側パネル１２，１４の内面１５は内部１１を囲み、シーラント層５２，５４に固定される。シーラント層５２，５４はシーリングフランジ２７，２９の外部又は第二側１７に固定される。
【００３２】
第一と第二クロージャープロファイル２２，２４の製造後、シーラント層５２，５４はシーリングフランジ２７，２９に提供できるか、又はシーラント層５２，５４はクロージャープロファイル２２，２４を備えて共に押出し成形できる。典型的には、シーリング層５２，５４は、熱と圧力を長時間にわたって適用することで側パネル１２，１４にシーリングフランジ２７，２９を結合するために活性化される。シーリングフランジ２７，２９と側パネル１２，１４間に結合を形成するために、シーリング層５２，５４は、好ましくはシーリングフランジ２７，２９と側パネル１２，１４の両方の融点よりも低い融点を有する。ある実施態様において、シーラント層５２，５４で使用される物質は約１３０℃以下の融点を有し、別の実施態様において、シーラント層５２，５４で使用される物質は約１１０℃以下の融点を有する。シーラント層として使用できる物質の例は、ＥＶＡ（エチレンとビニル酢酸の共重合体）、ＥＭＭＡ（エチレンメチル酢酸）、及びイオノマーを含む。有用な物質の追加的な例は、ここに参照として組み入れられている、米国特許第５，７０９，９１５号明細書（Ｔｏｍｉｃ等）に教示されている。
【００３３】
シーリング層５２，５４は互いに直接反対であるか、又は相殺できる。例えば、第一のシーリング層５２は第二のシーリングフランジ２９の第二のシーリング層５４よりも低位置の第一のシーリングフランジ２６に位置できるか、又はその逆である。シーリング層５２，５４はまた、相違するか又は相殺される幅を有するかもしれない。オフセットのシーリング層５２，５４は、蝶番型の配置及び下記に記載のように作用するためにシーリング構造を許容する。
【００３４】
ここで図５を参照するに、図５のパッケージ７０は、側パネル１２，１４に対してシーリングフランジ２７，２９を結合するオフセットのシーラント層５２，５４を有することを除いて、図４のパッケージ６０´と同様である。側パネル１４へのシーリングフランジ２９の結合に加えて、オフセットのシーラント層５４は蝶番型構造５６を提供する。シーラント層５４のシールは、シーリング層５２のシールと同時に生成されるか、又は分離して生成される。蝶番５６は、再密封可能なクロージャー機能２０の保持力を増強するために配置され形態化される。さらに、パッケージ７０が内部１１に内容物を有する場合、蝶番５６は第一のピールシール４０でのストレス部分を移動する。蝶番型配置５６の例は、例えば、１９９８年６月３０日に出願された米国特許出願０９／１０７，８５９号に開示され、ここで参照として組み入れられている。蝶番型構造５６は、側パネル１２，１４の各々に位置できる。一般的に、蝶番型構造５６はパッケージ７０がパッケージの底部によって満たされる場合に使用され、すなわち、パッケージ７０のボトムエッジ３６はジッパークロージャー２０とは反対側であり、品物が第一のピールシール４０に落とされる場合、蝶番型構造５６は第一のピールシール４０でのストレスを最小限にする。
【００３５】
図６及び７は、パッケージに組み込まれる以前のジッパークロージャー２０´と２０´´の実施態様を示す。図６を参照するに、ジッパークロージャー２０´はシーリングフランジ２７，２９で共に結合される第一クロージャープロファイル２２と第二クロージャープロファイル２４を有する。図６に示されるように、ジッパークロージャー２０´は単一要素として押出し成形でき、次いで、パッケージに組み込む前に２つの個別の要素に裂く。図６において、シーリングフランジ２７，２９は、第一のピールシール層４０´とシーラント層５０をその上に配置した。第一のピールシール４０´とシーラント層５０は、シーリングフランジ２７，２９の長さを拡張する。末端フランジ１２７，１２９は、第二のピールシール層１４０´をその上に配置した。
【００３６】
第一のピールシール層４０´とシーラント層５０はシーリングフランジ２７，２９に提供でき、第二のピールシール層１４０´はクロージャープロファイル２２，２４の押出し成形中に末端フランジ１２７，１２９に提供できる。すなわち、層４０´、１４０´、及び５０はクロージャープロファイル２２，２４を備えて共に押出し成形できる。代替として、第一のピールシール層４０´、第二のピールシール層１４０´又はシーラント層５０は形成されたクロージャープロファイル２２，２４にコーティングされる。
【００３７】
図７において、シーリングフランジ２７，２９は近接しておらず、どちらかというと、シーリングフランジ２７，２９は自立している第一のピールシール層４０´´によって接続されている。第一のピールシール層４０´´はクロージャープロファイル２２，２４の押出し成形後にシーリングフランジ２７，２９に付加できるか、又は第一のピールシール層４０´´はクロージャープロファイル２２，２４を備えて共に押出し成形できる。シーリングフランジ２７，２９間で延在し、接続する第一のピールシール層４０´´は一般的には剥離可能なフィルムであるだろう。第二のピールシール１４０´´は、上に記載のようにクロージャープロファイル２２，２４に形成される。
【００３８】
フレキシブルな再密閉できるパッケージのさらなる別の実施態様が図８に示されている。図８のパッケージ８０は、内部１１を定義する、第一と第二の側パネル１２，１４を有する。第一と第二のクロージャープロファイル２２，２４を有するジッパークロージャー２０は、シーリング層５２，５４によって側パネル１２，１４にシールされる。シーリング層５２，５４は、クロージャープロファイル２２，２４のシーリングフランジ２７，２９と側パネル１２，１４との間に配置される。スライダー装置３０はジッパークロージャー２０に取り付けられる。
【００３９】
パッケージ８０はジッパークロージャー２０とパッケージ内部１１との間に位置する第一のピールシール４０を有し、特に第一のピールシール４０は、第一のピールシール４５として示されている。第一のピールシール４５は内面１５にシールされ、特に第一及び第二側パネル１２，１４にシールされる。パッケージ８０の第一のピールシール４５は、図３で第一のピールシール４０がシーリングフランジ２７，２９にシールされていることを除けば、図３の第一のピールシール４０と同様である。第一のピールシール４５は外面４５ａ、４５ｂで側パネル１２，１４にシールされている。外面４５ａ、４５ｂでのかかる結合は、第一のピールシール４５の内部強度よりも大きく、したがって、第一のピールシール４５の失敗がピールシール４５内に発生する。さらにパッケージ８０は末端フランジ１２７，１２９間の第二のピールシール１４０を含む。第二のピールシール１４０は図３の第二のピールシール１４０と同様である。
【００４０】
本開示のジッパークロージャー２０、２０´、２０´´は、パッケージの様々なタイプとサイズで交換可能であるように設計される。例えば、同一のジッパークロージャー２０、２０´、２０´´は、気密的に密封されたパッケージ、開封済みを確認できる構造を有するパッケージ、及び開封済みを確認できる構造を有しないパッケージにおいて使用できる。数多の実施態様において、開封済みを確認できるポケットは、スライダー装置３０が移動した証明を提供するためにスライダー装置３０上に提供されるかもしれない。ピールシールを必要としないパッケージにおいて、ジッパークロージャー２０、２０´、２０´´は、最終的なパッケージで活性化されるピールシールを単に備えずに使用できる。ジッパークロージャー２０、２０´、２０´´は、エッジよりもパッケージの側パネルに位置するジッパークロージャーを有する、パッケージに組み込むことができ、それらのパッケージにおいて、ジッパークロージャー２０、２０´、２０´´はパッケージの長さ若しくはは幅を完全に又は部分的にだけ拡張するかもしれない。
【００４１】
パッケージ１０，６０，６０´，７０，８０などのパッケージに組み込む前に、ジッパークロージャー２０、２０´、２０´´はコア、スプールに提供されるか、又は他の方法で保存される。クロージャープロファイル２２，２４は保存するために連結でき、連結することができず、個別のコア、スプール及びその他同様のものに提供することができる。
【００４２】
再密封可能なフレキシブルなパッケージ１０を開封するために、ユーザは第一と第二クロージャープロファイル２２，２４を乖離する前又は乖離作動中に第一と第二のピールシール４０，１４０を貫く。ジッパークロージャー２０に取り付けられたスライダー装置３０は、スライダー装置３０がジッパークロージャー２０に沿って第一位置から第二位置に移動するように第二のピールシール１４０の貫入を容易にする。第二のピールシール１４０が破損された後、第一と第二のクロージャープロファイル２２，２４は乖離され、第一のピールシール４０は露出されて破壊される。これを達成するために、ユーザは第一クロージャープロファイル２２と第二クロージャープロファイル２４を捕らえて、第一のピールシール４０が破壊されるように第一クロージャープロファイル２２と第二クロージャープロファイル２４を引き離す。
【図面の簡単な説明】
【図１】
ジッパークロージャーとスライダー装置を有する、フレキシブルで再密閉できるパッケージの斜視図である。
【図２】
ジッパークロージャーに配置されたスライダー装置を備えていない、ジッパークロージャーの断面の拡大図である。
【図３】
二重のピールシールを有するフレキシブルで再密閉できるパッケージの第一実施態様の断面図である。
【図４】
二重のピールシールを有するフレキシブルで再密閉できるパッケージの第二実施態様の断面図である。
【図５】
二重のピールシールを有するフレキシブルで再密閉できるパッケージの第三実施態様の断面図である。
【図６】
図１乃至５の二重のピールシールの実施態様の何れにおいても使用可能なジッパークロージャーの第一及び第二クロージャープロファイルの一つの実施態様の断面図である。
【図７】
図１乃至５の二重のピールシールの実施態様の何れにおいても使用可能なジッパークロージャーの第一及び第二クロージャープロファイルの第二実施態様の断面図である。
【図８】
二重のピールシールを有するフレキシブルで再密閉できるパッケージの第四実施態様の断面図である。
【国際公開パンフレット】
2004515419.tif 000003
2004515419.tif 000004
2004515419.tif 000005
2004515419.tif 000006
2004515419.tif 000007
2004515419.tif 000008
2004515419.tif 000009
2004515419.tif 000010
2004515419.tif 000011
2004515419.tif 000012
2004515419.tif 000013
2004515419.tif 000014
2004515419.tif 000015
2004515419.tif 000016
2004515419.tif 000017
2004515419.tif 000018
2004515419.tif 000019
2004515419.tif 000020
2004515419.tif 000021
2004515419.tif 000022
2004515419.tif 000023
2004515419.tif 000024
2004515419.tif 000025
2004515419.tif 000026
2004515419.tif 000027
2004515419.tif 000028
2004515419.tif 000029
2004515419.tif 000030
2004515419.tif 000031
2004515419.tif 000032
2004515419.tif 000033
2004515419.tif 000034
2004515419.tif 000035
2004515419.tif 000036
2004515419.tif 000037
2004515419.tif 000038
2004515419.tif 000039
2004515419.tif 000040
2004515419.tif 000041
【国際公開パンフレット（コレクトバージョン）】
2004515419.tif 000042
2004515419.tif 000043
【国際調査報告】
2004515419.tif 000044
2004515419.tif 000045
2004515419.tif 000046